(57)【特許請求の範囲】
【請求項１】
表示部及び受話用スピーカを有し、該表示部を有する面である正面に対して側面に、表示内容の切換操作を可能とする操作キーを有する表示部ユニットと、
この表示部ユニットを前記表示部が縦長状態及び横長状態に切換操作可能となるように回転可能に支持する支持部ユニットと、
操作部及び送話用マイクを有する操作部ユニットと、
この操作部ユニットと前記支持部ユニットとを開閉自在に連結するヒンジ部とを備え、
前記表示部が縦長状態の時に、前記表示部ユニットにおける、前記表示部を有する面には、前記ヒンジ部側から最も離れた位置となる側縁部に前記受話用スピーカが設けられ、且つ、前記ヒンジ部側となる側面部には、テレビ用アンテナ及び該アンテナを収納するアンテナ収納部が設けられ、
前記操作キーは、前記表示部ユニットが縦長状態の時に前記ヒンジ部側の位置にあり、前記表示部ユニットが横長状態の時に、その横側の位置にくるように設けられていることを特徴とする折り畳み式通信端末。
【請求項２】
表示部及び受話用スピーカを有し、該表示部を有する面である正面に対して側面に、表示内容の切換操作を可能とする操作キーを有する表示部ユニットと、
この表示部ユニットを前記表示部が縦長状態及び横長状態に切換操作可能となるように回転可能に支持する支持部ユニットと、
操作部及び送話用マイクを有する操作部ユニットと、
この操作部ユニットと前記支持部ユニットとを開閉自在に連結するヒンジ部とを備え、
前記表示部が縦長状態の時に、前記表示部ユニットにおける、前記表示部を有する面には、前記ヒンジ部側から最も離れた位置となる側縁部に前記受話用スピーカが設けられ、且つ、前記ヒンジ部側となる側面部には、テレビ用アンテナが設けられ、
前記操作キーは、前記表示部ユニットが縦長状態の時に前記ヒンジ部側の位置にあり、前記表示部ユニットが横長状態の時に、その横側の位置にくるように設けられていることを特徴とする折り畳み式通信端末。
【発明の詳細な説明】
【技術分野】
【０００１】
本発明は、表示部を縦長状態及び横長状態に切り替えることができる折り畳み式通信端末に関する。
【背景技術】
【０００２】
通話機能を備えた通信端末、例えば携帯電話機では、近年、通話機能だけでなく、電子メールの送受信機能、デジタルカメラ機能、録音再生機能、スケジュール管理機能、通信履歴管理機能、ｗｅｂページ閲覧機能（ブラウザ機能）、テレビ受信機能など多数の付加機能を備えるようになってきている。
従来の一般的な折り畳み式携帯電話機において、表示画面は縦長であるが、ｗｅｂページ閲覧やテレビ視聴では、表示画面が横長の方が望ましい。
また、可能であれば、受信メールの確認や、メールの作成、文書の作成、カメラで撮影した画像の表示等も横長表示で行える方が便利である。
【０００３】
このため、表示部を縦長状態及び横長状態に切り換えることができるようにした折り畳み式携帯電話機も提供されている（例えば特許文献１、２参照）。
そして、特許文献２には、ＴＶ用のアンテナがどこに設けられているか明らかではないが、特許文献１では、テレビ受信と電話通信に共用されるアンテナが表示部筐体に設けられている。アンテナは、表示部筐体の短辺側の側面に突設されており、表示部筐体が縦長状態の時は電話通信用アンテナとして機能し、表示部筐体が横長状態の時はテレビ用アンテナとして機能するようになっている。
【特許文献１】特開２００５−３１８４０６号公報
【特許文献２】特開２００６−２１１５７６号公報
【発明の開示】
【発明が解決しようとする課題】
【０００４】
しかし、特許文献１の構成は、アンテナが筐体から常時突出している構成なので、アンテナが壊れやすい。
また、特許文献１の構成は、テレビ受信時と電話通信時とでアンテナの整合回路を切り換える構成であるので、テレビ受信中は電話着信やメール着信が行えない、という不都合がある。
また、特許文献１では、メール送受信やインターネット操作を縦長表示で行う構成となっている（段落００２７参照）が、文字等の読み易さからすると、これらは横長表示の方が望ましく、この場合、アンテナが横方向に突出する特許文献１の構成は、デザイン的に望ましくない。
【０００５】
本発明の課題は、ＴＶ用アンテナが壊れにくく、また、デザイン性を損なうこともない折り畳み式通信端末を提供することである。
【課題を解決するための手段】
【０００６】
以上の課題を解決するため、第１の観点に係る折り畳み式通信端末は、表示部及び受話用スピーカを有し、該表示部を有する面である正面に対して側面に、表示内容の切換操作を可能とする操作キーを有する表示部ユニットと、この表示部ユニットを前記表示部が縦長状態及び横長状態に切換操作可能となるように回転可能に支持する支持部ユニットと、操作部及び送話用マイクを有する操作部ユニットと、この操作部ユニットと前記支持部ユニットとを開閉自在に連結するヒンジ部とを備え、前記表示部が縦長状態の時に、前記表示部ユニットにおける、前記表示部を有する面には、前記ヒンジ部側から最も離れた位置となる側縁部に前記受話用スピーカが設けられ、且つ、前記ヒンジ部側となる側面部には、テレビ用アンテナ及び該アンテナを収納するアンテナ収納部が設けられ、前記操作キーは、前記表示部ユニットが縦長状態の時に前記ヒンジ部側の位置にあり、前記表示部ユニットが横長状態の時に、その横側の位置にくるように設けられていることを特徴とする。
また、第２の観点に係る折り畳み式通信端末は、表示部及び受話用スピーカを有し、該表示部を有する面である正面に対して側面に、表示内容の切換操作を可能とする操作キーを有する表示部ユニットと、この表示部ユニットを前記表示部が縦長状態及び横長状態に切換操作可能となるように回転可能に支持する支持部ユニットと、操作部及び送話用マイクを有する操作部ユニットと、この操作部ユニットと前記支持部ユニットとを開閉自在に連結するヒンジ部とを備え、前記表示部が縦長状態の時に、前記表示部ユニットにおける、前記表示部を有する面には、前記ヒンジ部側から最も離れた位置となる側縁部に前記受話用スピーカが設けられ、且つ、前記ヒンジ部側となる側面部には、テレビ用アンテナが設けられ、前記操作キーは、前記表示部ユニットが縦長状態の時に前記ヒンジ部側の位置にあり、前記表示部ユニットが横長状態の時に、その横側の位置にくるように設けられていることを特徴とする。
【発明の効果】
【０００７】
本発明によれば、ＴＶ用アンテナが壊れにくく、また、デザイン性を損なうこともない折り畳み式通信端末を提供することができる。
【発明を実施するための最良の形態】
【０００８】
以下、図を参照して本発明を実施するための最良の形態を詳細に説明する。
図１から図３は本発明を適用した通信端末の一実施形態の構成として携帯電話機を示したもので、１は操作部ユニット、２は支持部ユニット、３はヒンジ部、４は表示部ユニット、５は操作部、６はメイン表示部、７はサブ表示部、８は送話用マイク孔、９は受話用スピーカ孔、１１はＴＶアンテナ、１２はアンテナ収納部、１３・１４・１５はアプリケーション用の操作キー、１６はインカメラ用の窓である。
【０００９】
図１及び図２に示すように、操作部ユニット１に対し表示部ユニット２がヒンジ部３及び支持部ユニット４を介して折り畳み自在に結合されている。すなわち、図１に示した折り畳み状態において、操作部ユニット１の各種操作キーによる操作部５を設けた面に、表示部ユニット２の表示窓によるメイン表示部６を設けた面が重なり、その表示部ユニット２上に重なる支持部ユニット４上に表示窓によるサブ表示部７が設けられている。そして、図２及び図３に示すように、支持部ユニット４に対し表示部ユニット２がメイン表示部６を縦長状態と横長状態に切換操作可能となるように回転可能に支持されている。
【００１０】
ここで、操作部ユニット１には、操作部５を設けた面側でヒンジ部３と反対側の側縁部に送話マイク孔８が設けられている。
【００１１】
表示部ユニット２には、メイン表示部６を設けた面側で一方の側縁部に受話用スピーカ孔９が設けられている。この受話用スピーカ孔９は、図２に示したように、メイン表示部６の縦長状態において、ヒンジ部３と最も離れた位置となる。また、表示部ユニット２の受話用スピーカ孔９と反対側の側面からは、図３に示したように、ロッドアンテナによるＴＶアンテナ１１が突出可能となっており、このＴＶアンテナ１１は、基端部１１ａ、ピンジョイント１１ｂ、スリーブ１１ｃ及びロッド１１ｄより構成され、不使用時において、表示ユニット２の筐体内に形成されたアンテナ収納部１２に収納可能である。
【００１２】
ここで、図示しないが、通信用アンテナは、操作部ユニット１の筐体に内蔵されている。
また、表示部ユニット２の受話用スピーカ孔９と反対側の端面にアプリケーション用の操作キー、図示例では３個の操作キー１３・１４・１５が設けられている。この３個の操作キーは、実施例では、ＴＶスイッチ（ＴＶモード起動ボタン）１３及びチャンネル切換スイッチ（＋方向ボタンと−方向ボタン）１４・１５である。
【００１３】
なお、表示部ユニット２の受話用スピーカ孔９の側方には、インカメラ用の窓、すなわち、自分撮り用のカメラ用の窓１６が形成されている。
【００１４】
また、ヒンジ部３は、操作部ユニット１の操作部５を設けた面側で送話用マイク孔８と反対側に設けた左右一対のボス１７に対し、支持部ユニット４の筐体端部に設けた突出基部１８がヒンジピン１９（図５参照）を介して回転自在に結合されている。
【００１５】
図４は折り畳み状態での携帯電話機の縦断側面を示したもので、２１はカメラ、２２はメイン表示器（ＬＣＤ）、２３は受話用スピーカ、２４はサブ表示器（ＬＣＤ）、２５はガイド部材、２６はリンク部材である。すなわち、操作部ユニット１には、操作部５の裏面側に向くカメラ２１が組み込まれている。表示部ユニット２には、メイン表示部６に対応するＬＣＤによるメイン表示器２２、受話用スピーカ孔９に対応する受話用スピーカ２３が組み込まれている。支持部ユニット４には、サブ表示部７に対応するＬＣＤによるサブ表示器２４、ガイド部材２５等が組み込まれるとともに、リンク部材２６が組み付けられている。
【００１６】
図５は表示部ユニット２及び支持部ユニット４を分解状態として操作部ユニット１とともに示したものである。
【００１７】
表示部ユニット２は、裏ケース２７内に中ケース２８及び回路基板２９を組み込んで前面保護板３１を取り付けた筐体構成となっている。図示のように、裏ケース２７には穴３２が形成されている。中ケース２８には、裏ケース２７の前記穴３２を通して、前記リンク部材２６をネジ止めする一対のボス３３及び前記アンテナ収納部１２が形成されている。回路基板２９には、自己撮影用カメラ（インカメラ）３４、スイッチ板３５及び前記受話用スピーカ２３が組み付けられている。前面保護板３１には、印刷部による見切り部３６、前記表示窓（メイン表示部）６、受話用スピーカ孔９及びインカメラ用窓１６が形成されている。
【００１８】
なお、回路基板２９の図示下面側に前記メイン表示器２２が設けられている。また、前記スイッチ板３５はＦＰＣで構成されており、例えば前記メイン表示器２２のＬＣＤに接続されるＦＰＣの一部をスイッチ板３５としている。
【００１９】
支持部ユニット４は、裏ケース３７に前面板３８を取り付けた筐体構成となっている。図示のように、裏ケース３７には前記表示窓（サブ表示部）７及び突出基部１８が設けられている。前面板３８には、切欠部３９が形成されるとともに、その周囲において、前記ガイド部材２５をネジ止めする３点部分４１が形成されている。
【００２０】
また、前面板３８にネジ止めされるガイド部材２５には、半円弧状の左右方向ガイド溝４２が形成されるとともに、直線状の上下方向ガイド溝４３が形成されている。そして、裏ケース２７の穴３２を通して、中ケース２８の一対のボス３３にネジ止めされるリンク部材２６には、ガイド部材２５の左右方向ガイド溝４２に係合してスライドするピン４４が設けられるとともに、上下方向ガイド溝４３に係合してスライドするピン４５も設けられている。
【００２１】
従って、表示部ユニット２と一体化したリンク部材２６のピン４４が、支持部ユニット４と一体化したガイド部材２５の半円弧状の左右方向ガイド溝４２に係合してスライドすると同時に、ピン４５が直線状の上下方向ガイド溝４３に係合してスライドすることで、表示部ユニット２は、支持部ユニット４に対し、メイン表示部６を縦長状態（縦長表示）及び横長状態（横長表示）に切換操作することができる。
【００２２】
また、地上波デジタルＴＶ放送では、殆どのチャネルが水平偏波なので、ＴＶアンテナ１１は、図３に示すメイン表示部６を横長状態としたビュースタイル時において、通常、実線で示しているように、表示部ユニット２の側面から突出する基端部１１ａでピンジョイント１１ｂによりスリーブ１１ｃ及びロッド１１ｄを横に曲げて水平にする。
【００２３】
以上のように、実施形態では、表示部ユニット２を回転させてメイン表示部６を縦長状態（縦長表示）及び横長状態（横長表示）に切り換えることができる折り畳み式携帯電話機において、メイン表示部６が縦長状態の時、つまり、通話等が行える通常の使用状態時にヒンジ部３側（操作部ユニット１側）となる表示部ユニット２の端面側にアンテナ収納部１２を設けている。
従って、不使用時は、表示ユニット２の短辺側端面内のアンテナ収納部１２にＴＶアンテナ１１を収納しておけるので、ＴＶアンテナ１１が壊れにくい。
【００２４】
そして、メイン表示部６が縦長状態の時に、表示部ユニット２のヒンジ部３側から最も離れた位置となる側縁部には、受話用スピーカ２３（受話用スピーカ孔９）が設けられている。
従って、メイン表示部６を横長状態にした際に、その横長状態のメイン表示部６が左右対称になるようにすると、表示部ユニット２の左右の非表示エリアには、一方の側縁部に受話用スピーカ２３（受話用スピーカ孔９）が位置して、他方の側縁部にＴＶアンテナ１１が位置する構成であるので、デザイン性を損なうことなくＴＶアンテナ１１を設けることができる。
【００２５】
また、図２に示される携帯電話機を開いてメイン表示部６を縦長状態とした通話スタイル時において、テレビを視聴する場合には、ＴＶアンテナ１１を引き出せば良い。但し、ＴＶ起動スイッチが操作部ユニット２に設けられている場合とする。
【００２６】
なお、以上の実施形態においては、携帯電話機としたが、本発明はこれに限定されるものではなく、ＰＤＡ、トランシーバ、その他の折り畳み式通信端末であっても良い。
また、実施形態では、ロッドアンテナによるＴＶアンテナとしたが、単に引き出し式のアンテナであっても良く、その他、具体的な細部構造等についても適宜に変更可能であることは勿論である。
【図面の簡単な説明】
【００２７】
【図１】本発明を適用した通信端末の一実施形態の構成を示すもので、携帯電話機の折り畳み状態を示した斜視図である。
【図２】携帯電話機を開いて表示部を縦長状態とした通話スタイル時を示した斜視図である。
【図３】図１の表示部を横長状態としたビュースタイル時を示した斜視図である。
【図４】図１の折り畳み状態での携帯電話機の縦断側面図である。
【図５】表示部ユニット及び支持部ユニットを分解状態として操作部ユニットとともに示した斜視図である。
【符号の説明】
【００２８】
１  操作部ユニット
２  支持部ユニット
３  ヒンジ部
４  表示部ユニット
５  操作部
６  表示部
８  送話用マイク孔
９  受話用スピーカ孔
１１  テレビ用アンテナ
２３  受話用スピーカ
【図１】
0004974079.tif 000002
【図２】
0004974079.tif 000003
【図３】
0004974079.tif 000004
【図４】
0004974079.tif 000005
【図５】
0004974079.tif 000006